(57)【要約】【課題】プリズムアッセンブリを構成するコーナーキューブプリズムの一部を自由に取り換え可能に固定できる再帰反射装置を提供する。【解決手段】再帰反射装置１００は、複数のコーナーキューブプリズム１３１を有するプリズムアッセンブリと、プリズムアッセンブリを挟み込むようにして保持する第１部材１１０及び第２部材１２０の組と、第１部材１１０および第２部材１２０に設けられ、プリズムアッセンブリの位置ずれを防止する掛止部２００と、第１部材１１０に穿たれた第１孔部と、第２部材１２０に穿たれた第２孔部と、第１孔部および第２孔部に挿通される軸部１４０と、第１部材１１０と第２部材１２０がプリズムアッセンブリを挟持した状態を保持する保持機構１５０と、第１部材１１０と第２部材１２０が軸部１４０周りに相対的に回転することを抑止する回転抑止機構１６０とを有する。【選択図】図５
2020204576.tif 000002
【特許請求の範囲】
【請求項１】
それぞれが互いに直交した平面をなす３つの反射面、ならびに、これらの反射面に入射する光およびこの光が３つの反射面にて反射された再帰反射光を透過する光透過面を有するコーナーキューブプリズムと、
複数の前記コーナーキューブプリズムを有するプリズムアッセンブリと、
前記プリズムアッセンブリを挟み込む挟持状態を実現させる第１部材および第２部材の組と、
前記第１部材および前記第２部材にそれぞれ設けられ、前記プリズムアッセンブリの位置ずれをおさえる掛止部と、
前記第１部材に穿たれた第１孔部と、
前記第２部材に穿たれた第２孔部と、
前記第１孔部および前記第２孔部に挿通される軸部と、
前記挟持状態を保持する保持機構と、
前記軸部に対する、前記第１部材および前記第２部材の、前記軸部の軸線周りの相対的な回転を抑止する回転抑止機構とを有する再帰反射装置。
【請求項２】
請求項１に記載された再帰反射装置であって、
前記プリズムアッセンブリをなす前記コーナーキューブプリズムの少なくとも１つには、その３つの反射面のうち２つと光透過面とが互いに近接してなる近接部が備えられ、
前記掛止部には、前記近接部に対して、前記プリズムアッセンブリの外部側から当該プリズムアッセンブリの内部側を向いて係合された係合状態とすることが可能な係合片が１つ以上設けられている、再帰反射装置。
【請求項３】
請求項２に記載された再帰反射装置であって、
前記係合片の少なくとも１つが、前記係合状態と、当該係合状態において係合される前記近接部が備えられた前記コーナーキューブプリズムに対して接触しないように退避された退避状態と、の切り替えが可能に構成されている、再帰反射装置。
【請求項４】
請求項３に記載された再帰反射装置であって、
すべての前記係合片が、前記係合状態と、前記退避状態と、の切り替えが可能に構成されている、再帰反射装置。
【請求項５】
請求項１ないし請求項４のうちのいずれか１項に記載された再帰反射装置であって、
前記回転抑止機構は、前記第１孔部および前記第２孔部のそれぞれと前記軸部の表面とが回転不能に係止できるようにする回り止めの構成を有することによって成立する再帰反射装置。
【請求項６】
請求項１ないし請求項５のうちのいずれか１項に記載された再帰反射装置であって、
前記掛止部が、前記プリズムアッセンブリをなす前記コーナーキューブプリズムの並びに沿うように位置されて、当該コーナーキューブプリズムの端部を掛止可能なフレームを有する、再帰反射装置。
【請求項７】
請求項６に記載された再帰反射装置であって、
前記第１部材および前記第２部材のうち少なくとも一方には、前記コーナーキューブプリズムの反射面と接触し、もって当該コーナーキューブプリズムをもたせ掛けられた状態にすることが可能な座部が設けられている、再帰反射装置。
【請求項８】
請求項７に記載された再帰反射装置であって、
前記座部に、前記コーナーキューブプリズムの端辺を嵌め込み可能な溝部が設けられた、再帰反射装置。
【請求項９】
請求項１ないし請求項８のうちのいずれか１項に記載された再帰反射装置であって、
前記軸部が長尺に形成され、かつ、その長手方向の一端側から他端側に向けて貫通した貫通孔を有する筒形状をなす再帰反射装置。
【発明の詳細な説明】
【技術分野】
【０００１】
本発明は、再帰反射装置に関する。
【背景技術】
【０００２】
セオドライトやトータルステーションは、このセオドライトやトータルステーションがセットされる位置から発振された光をターゲットが再帰反射した再帰反射光の入射方向を測定し、もって測量に資するデータを得る。このようなターゲットとしては、再帰反射が可能なコーナーキューブプリズムが用いられることがある。
【０００３】
ここで、コーナーキューブプリズムにおいては、光を再帰反射可能な反射面は決まっている。すなわち、コーナーキューブプリズムは、上記反射面以外の面に入射される光を再帰反射させることはできない。それゆえ、コーナーキューブプリズムを測量作業におけるターゲットの用に供する際には、このコーナーキューブプリズムをセオドライトやトータルステーションの方向に向けておく必要がある。したがって、測量作業において、ターゲットとして単一のコーナーキューブプリズムを用いる場合、セオドライトやトータルステーションがセットされる位置を変更するたびに、コーナーキューブプリズムの向きを調整する必要があった。
【０００４】
これに対し、特許文献１では、複数のコーナーキューブプリズムを組み合わせることにより、全方向について３６０°までの範囲の大きい角度範囲の光を再帰反射可能なように設計された再帰反射装置の技術が開示されている。この技術では、８つの直角三角錐状のコーナーキューブプリズムを、それらの反射面同士を密接させて組み合わせることで、略八面体形状のプリズムアッセンブリとし、かかるプリズムアッセンブリを有する再帰反射装置を構成している。この再帰反射装置によれば、測量作業においてコーナーキューブプリズムの向きを調整する回数を減らし、もって測量作業の煩雑さを軽減することができる。
【先行技術文献】
【特許文献】
【０００５】
【特許文献１】特開平１１−５１２１７６号公報
【発明の概要】
【発明が解決しようとする課題】
【０００６】
上記の技術では、複数の直角三角錐状のコーナーキューブプリズムを組み合わせてプリズムアッセンブリとするとき、コーナーキューブプリズムの反射面を密接させる必要がある。このため、各コーナーキューブプリズムの固定に際しては、接着剤等を用いてコーナーキューブプリズム同士を接着させることが多い。しかし、再帰反射装置は落下による破損のおそれがあるほど高い箇所や振動が大きい箇所に配置することもあり、落下や他の物体との接触等により一部のコーナーキューブプリズムが欠ける、あるいは傷つく等破損することも多い。そして欠けや傷つきが生じればコーナーキューブプリズムは満足な再帰反射ができなくなる。
【０００７】
コーナーキューブプリズムに欠けや傷つきが生じた場合、コーナーキューブプリズム同士が接着されていると、コーナーキューブプリズム１つ１つを独立して分解することは容易ではなく、結果としてプリズムアッセンブリの全体を取り換えなければならなくなるという問題があった。
【０００８】
そこで、本発明は上記課題を解決するものであって、プリズムアッセンブリを構成するコーナーキューブプリズムの一部を自由に取り換え可能に固定できる再帰反射装置の提供を目的とする。
【課題を解決するための手段】
【０００９】
本開示の１つの特徴によると、それぞれが互いに直交した平面をなす３つの反射面、ならびに、これらの反射面に入射する光およびこの光が３つの反射面にて反射された再帰反射光を透過する光透過面を有するコーナーキューブプリズムと、複数のコーナーキューブプリズムを有するプリズムアッセンブリと、このプリズムアッセンブリを挟み込む挟持状態を実現させる第１部材及び第２部材の組と、第１部材および第２部材にそれぞれ設けられ、プリズムアッセンブリの位置ずれをおさえる掛止部と、第１部材に穿たれた第１孔部と、第２部材に穿たれた第２孔部と、第１孔部および第２孔部に挿通される軸部と、挟持状態を保持する保持機構と、軸部に対する、第１部材および第２部材の、軸部の軸線周りの相対的な回転を抑止する回転抑止機構とを有する再帰反射装置が提供される。
【００１０】
これによれば、プリズムアッセンブリは第１部材と第２部材との組に挟持され、この挟持状態は保持機構により保持されている。すなわちコーナーキューブ同士を接着等して固定しなくても、プリズムアッセンブリを固定可能である。したがって保持機構の保持をなくすことで、プリズムアッセンブリを構成するコーナーキューブプリズムの１つ１つを独立して交換することが可能である。さらに第１部材と第２部材が、軸部に対して当該軸部を中心として、当該軸部の軸線周りに相対的に回転することを抑止する回転抑止機構を有していることから、プリズムアッセンブリに軸部の軸線周りの方向のトルク（ねじりモーメント）を抑えることができる。したがって、接着をせずともプリズムアッセンブリが分解してしまうのを抑制し、プリズムアッセンブリを固定することができる。
【００１１】
本開示の他の１つの特徴によると、プリズムアッセンブリをなすコーナーキューブプリズムの少なくとも１つには、その３つの反射面のうち２つと光透過面とが互いに近接してなる近接部が備えられ、掛止部には、近接部に対して、プリズムアッセンブリの外部側からこのプリズムアッセンブリの内部側を向いて係合された係合状態とすることが可能な係合片が１つ以上設けられている。これによれば、コーナーキューブプリズムの取り換え作業に際して保持機構による保持が緩んでいるときに、コーナーキューブプリズムが意図せずこぼれ落ちることを掛止部の係合片により抑え、もってこの取り換え作業の作業性を向上させることができる。
【００１２】
本開示の他の１つの特徴によると、係合片の少なくとも１つが、上記係合状態と、この係合状態において係合される近接部が備えられたコーナーキューブプリズムに対して接触しないように退避された退避状態と、の切り替えが可能に構成されている。これによれば、係合片が係合されるコーナーキューブプリズムが取り換えの対象になっているときに、掛止部の係合片を退避状態に切り替えることで、この係合片が上記コーナーキューブプリズムの取り換え作業の邪魔になることをさけることができる。
【００１３】
本開示の他の１つの特徴によると、すべての係合片が、上記係合状態と、上記退避状態と、の切り替えが可能に構成されている。これによれば、プリズムアッセンブリにおけるどのコーナーキューブプリズムを取り換える場合であっても、取り換え対象のコーナーキューブプリズムに対応される位置の係合片を退避状態に切り替えることで、この係合片がコーナーキューブプリズムの取り換え作業の邪魔になることをさけることができる。
【００１４】
本開示の他の１つの特徴によると、回転抑止機構は、第１孔部および第２孔部のそれぞれと軸部の表面とが回転不能に係止できるようにする回り止めの構成を有することによって成立する。これによれば、第１部材と第２部材が、軸部の軸線周りに相対的に回転することを抑止することができる。すなわち、比較的単純な構成により、回転抑止機構としての機能を果たすことができる。
【００１５】
本開示の他の１つの特徴によると、掛止部が、プリズムアッセンブリをなすコーナーキューブプリズムの並びに沿うように位置されて、このコーナーキューブプリズムの端部を掛止可能なフレームを有する。これによれば、掛止部がプリズムアッセンブリをなすコーナーキューブプリズムの並びに合わせて配されているため、プリズムアッセンブリの位置ずれ抑止機能がより確かなものとなる。
【００１６】
本開示の他の１つの特徴によると、第１部材および第２部材のうち少なくとも一方には、コーナーキューブプリズムの反射面と接触し、もってこのコーナーキューブプリズムをもたせ掛けられた状態にすることが可能な座部が設けられる。これによれば、座部に対し、コーナーキューブプリズムの反射面をもたせ掛けることが可能であるため、コーナーキューブプリズムの配置を固定しやすくなる。
【００１７】
本開示の他の１つの特徴によると、座部に、コーナーキューブプリズムの端辺を嵌め込み可能な溝部が設けられる。これによれば、溝部にコーナーキューブプリズムの端辺が嵌め込まれることで、コーナーキューブプリズムの位置がより安定した状態で固定される。
【００１８】
本開示の他の１つの特徴によると、軸部が、長尺に形成され、かつ、その長手方向の一端側から他端側に向けて貫通した貫通孔を有する筒形状をなす。これによれば、軸部の貫通孔に対し、棒状部材を挿入し、棒状部材に沿って再帰反射装置を摺動させることができる。すなわち、軸部の長手方向で見た再帰反射装置の位置を、棒状部材を介して変更することができる。
【発明の効果】
【００１９】
本開示の再帰反射装置によれば、プリズムアッセンブリを構成するコーナーキューブプリズムを１つ１つ独立して交換することができる。また、プリズムアッセンブリに対する軸部の軸線周りの方向のトルクを抑えることができるため、プリズムアッセンブリの各コーナーキューブプリズムが互いに接着されていないものであっても分解することを抑制しつつ固定することができる。
【図面の簡単な説明】
【００２０】
【図１】第１の実施形態にかかる再帰反射装置の使用状態を示す説明図である。
【図２】第１の実施形態にかかる再帰反射装置の正面図である。
【図３】第１の実施形態にかかる再帰反射装置の平面図である。
【図４】第１の実施形態にかかる再帰反射装置の底面図である。
【図５】図２のＸＸＩＩＩ−ＸＸＩＩＩ線断面矢視図である。
【図６】第１の実施形態にかかる再帰反射装置の分解斜視図である。
【図７】第１の実施形態にかかる再帰反射装置の組み立ての経過を示す斜視図である。
【図８】第２の実施形態にかかる再帰反射装置の使用状態を示す側面図である。
【図９】第２の実施形態にかかる再帰反射装置の斜視図である。
【図１０】第２の実施形態にかかる再帰反射装置の分解斜視図である。
【図１１】第２の実施形態にかかる第１部材（第２部材）の斜視図である。
【図１２】第２の実施形態にかかる第１部材（第２部材）の平面図である。
【図１３】第２の実施形態にかかる再帰反射装置における軸部の斜視図である。
【図１４】第２の実施形態にかかる再帰反射装置における軸部の底面図である。
【図１５】第２の実施形態にかかる再帰反射装置におけるコーナーキューブプリズムの斜視図である。
【図１６】第２の実施形態にかかる再帰反射装置において、その第２部材に６つのコーナーキューブプリズムを設置した状態を表した斜視図である。
【図１７】第２の実施形態にかかる再帰反射装置において、その第２部材に３つのコーナーキューブプリズムを設置した状態を表した斜視図である。
【図１８】第２の実施形態にかかる再帰反射装置において、その第２部材に１つのコーナーキューブプリズムを設置した状態を表した側面図である。
【図１９】第２の実施形態にかかる再帰反射装置において、その第２部材に３つのコーナーキューブプリズムを設置した状態を表した斜視図である。
【図２０】第２の実施形態にかかる再帰反射装置において、その第２部材に１つのコーナーキューブプリズムを設置した状態を表した側面図である。
【図２１】第２の実施形態にかかる再帰反射装置における、第２部材上でのコーナーキューブプリズムと軸部の位置関係を示す分解側面図である。
【図２２】第２の実施形態にかかる再帰反射装置の組み立ての経過を示す斜視図である。
【図２３】第２の実施形態にかかる再帰反射装置の組み立ての経過を示す斜視図である。
【図２４】第２の実施形態にかかる再帰反射装置の組み立ての経過を示す斜視図である。
【図２５】棒状部材を挿通させた再帰反射装置の変形例を示す斜視図である。
【発明を実施するための形態】
【００２１】
（第１の実施形態）
始めに、第１の実施形態にかかる再帰反射装置１００について、図１ないし図７を用いて説明する。なお、以下においては、再帰反射装置１００のパーツに、このパーツと組み合わされる別のパーツのねじ止めを緩めたり締めたりするために開けられる穴（例えば図５に示す、きょう体１０１、１０４に開けられた穴１０２、１０３、１０５、１０６を参照）など、付随的な構成について、その詳細な説明を省略する。
【００２２】
再帰反射装置１００は、図１に示すように、トータルステーション９００を使用して行う測量作業において、このトータルステーション９００が発振する光を再帰反射する用に供される再帰反射装置である。この再帰反射装置１００は、光の再帰反射を実現させるプリズムアッセンブリ１３０を、このプリズムアッセンブリ１３０の上側に位置される第１部材１１０と、同じく下側に位置される第２部材１２０とで上下方向から挟み込んだ構成を有する。言いかえると、再帰反射装置１００において、第１部材１１０と第２部材１２０との組は、プリズムアッセンブリ１３０を上下方向から挟み込む挟持状態を実現させる。
【００２３】
第１部材１１０および第２部材１２０は、図１、図２、および、図５に示すように、それぞれ、きょう体１０１およびきょう体１０４にはめ入れられている。また、第１部材１１０および第２部材１２０は、図５および図６に示すように、それぞれ、切り出された鋼の厚板に切削加工を施してなる本体１１１、１２１に、プラスチック製のフレーム１１４、１２４を一体化させた構成となっている。
【００２４】
本実施形態においては、図５に示すように、本体１１１、１２１は、それぞれ、一方側の板面から円筒状のボス１１２、１２２を突出させた構成となっている。また、フレーム１１４、１２４は、それぞれ、その内周面がボス１１２、１２２の外周面とはめあいになることで、本体１１１、１２１と一体化される。ただし、第１部材および第２部材は、その本体とフレームとを一体に成型したものであってもよく、この本体とフレームとは同じ素材からなるものであってよい。
【００２５】
また、本体１１１、１２１は、図５に示すように、それぞれ、そのボス１１２、１２２をその突出方向（図５では上下方向）に貫通するように穿たれた、第１孔部１１３および第２孔部１２３を備えた構成となっている。これら第１孔部１１３および第２孔部１２３は、それぞれ、本体１１１、１２１を貫通した構成とされている。また、第１孔部１１３および第２孔部１２３は、それぞれに軸部１４０の端が挿通されることで、この軸部１４０による本体１１１、１２１同士の連結を実現させる。
【００２６】
軸部１４０は、図５ないし図７に示すように、その両端の間の中点付近に懸垂面をなして設けられたへこみ１４１と、このへこみ１４１を軸部１４０が延びる方向で見た両側（図５で見て上下両側）から挟み込むかかり１４２とを備えている。これらのかかり１４２は、軸部１４０の端が第１孔部１１３あるいは第２孔部１２３に挿通されたときにこれを備えるボス１１２あるいはボス１２２に係止し、もってこの軸部１４０の本体１１１あるいは本体１２１に対する差し込み深さを規定する。本実施形態においては、かかり１４２は、本体１１１、１２１においてボス１１２、１２２が突出される側とは反対側となる他方側の板面と軸部１４０の端とが面一となるように、上記差し込み深さを規定する。
【００２７】
ここで、上述した軸部１４０による本体１１１、１２１同士の連結は、図５に示すように、保持機構１５０によって保持される。この保持機構１５０は、第１部材１１０あるいは第２部材１２０の本体１１１、１２１を、きょう体１０１あるいはきょう体１０４にねじ止めするねじ１５２を備える。また、保持機構１５０は、軸部１４０の両端に穿たれたねじ穴１４３にねじ込まれて、このねじ穴１４３から突出される頭部を軸部１４０の端および本体１１１、１２１における他方側の板面に係止させるフランジボルト１５１を備える。これにより、保持機構１５０は、第１部材１１０と第２部材１２０との組がプリズムアッセンブリ１３０を挟み込む挟持状態の保持を実現させる。
【００２８】
また、保持機構１５０により上記挟持状態が保持されている状態において、第１部材１１０および第２部材１２０の、軸部１４０に対する、この軸部１４０の軸線周りの相対的な回転は、図３ないし図５に示す回転抑止機構１６０によって抑止される。この回転抑止機構１６０は、第１孔部１１３あるいは第２孔部１２３に挿通される軸部１４０の各端において、この第１孔部１１３あるいは第２孔部１２３に対向される面の一部を平面としてなる平取り１６３を備える。また、回転抑止機構１６０は、本体１１１あるいは本体１２１において、これを構成する鋼の厚板の切断面からなるこば面から、第１孔部１１３あるいは第２孔部１２３の内側面までを貫通してなるねじ穴１６１を備える。また、回転抑止機構１６０は、ねじ穴１６１に入り込んでこのねじ穴１６１に螺合し、その先端を軸部１４０に設けられた平取り１６３に係止させることが可能なとめねじ１６２を備える。これらにより、回転抑止機構１６０は、第１孔部１１３あるいは第２孔部１２３のそれぞれと軸部１４０の表面とが回転不能に係止できるようにする回り止めの構成を実現し、もって上記第１部材１１０および第２部材１２０の相対的な回転を抑制する。
【００２９】
なお、本実施形態においては、とめねじ１６２は、ねじ穴１６１の内部に全体を入り込ませた状態でこのねじ穴１６１に螺合することと、その先端を平取り１６３に面接触させてこの平取り１６３に係止させることとができる平先のホーローセットスクリューである。
【００３０】
プリズムアッセンブリ１３０は、図７に示すように、それぞれが略直角三角錐形状に形成された６つのコーナーキューブプリズム１３１を、軸部１４０を取り囲む輪をなすように並べて組み合わせた構成を有する。ここで、プリズムアッセンブリ１３０は、そのコーナーキューブプリズム１３１が互い違いになるように並べられることで、側面視（図２参照）では正八面体に見えるような形状を呈する。また、軸部１４０のかかり１４２は、へこみ１４１側が小径となる円錐台形状を呈することで、プリズムアッセンブリ１３０をなすコーナーキューブプリズム１３１との干渉がさけられている。
【００３１】
コーナーキューブプリズム１３１は、図６および図７に示すように、その略直角三角錐において互いに直交される３つの平面を反射面１３２として有し、残りの平面を光透過面１３３として有する。このため、コーナーキューブプリズム１３１において、その光透過面１３３は略正三角形形状を呈し、その３つの角は、光透過面１３３と３つの反射面１３２のうち２つとが互いに近接してなる近接部１３４（図７参照）となる。
【００３２】
ここで、３つの反射面１３２は、入射された光の再帰反射を実現させる。また、光透過面１３３は、３つの反射面１３２に入射する光およびこの光が３つの反射面１３２にて反射された再帰反射光を透過する。ただし、近接部１３４においては、光の再帰反射および再帰反射光の透過はほとんど行われない。
【００３３】
フレーム１１４、１２４は、図３、図４、および、図７に示すように、それぞれ、略正三角形形状を呈して、この略正三角形の各辺がプリズムアッセンブリ１３０をなすコーナーキューブプリズム１３１の並びに沿うように位置される。これにより、フレーム１１４、１２４は、プリズムアッセンブリ１３０をなす各コーナーキューブプリズム１３１を組み付けられた状態にセットすることが可能とされる。また、フレーム１１４、１２４の略正三角形における各頂点は、軸部１４０の一端側もしくは他端側のいずれか一方から見たときに、この頂点が属するフレーム１１４、１２４に対向されるフレーム１２４、１１４に覆い隠されることなく露見される。
【００３４】
また、フレーム１１４、１２４は、図５に示すように、それぞれ、コーナーキューブプリズム１３１の反射面１３２と接触し、もってこのコーナーキューブプリズム１３１をもたせ掛けられた状態にすることが可能な座部１１５、１２５を備えている。これらの座部１１５、１２５は、フレーム１１４、１２４の略正三角形における角となる部分にそれぞれ突出された略角錐形状をなし、その略角錐形状における２つの側面がフレーム１１４、１２４の略正三角形の２辺に沿うように配設されている。また、座部１１５、１２５は、上記の各側面に、フレーム１１４、１２４にセットされた（図７参照）コーナーキューブプリズム１３１の反射面１３２をもたせ掛けることができるようになっている。
【００３５】
また、座部１１５、１２５において、コーナーキューブプリズム１３１がもたせ掛けられる各側面に挟まれる部分には、図７に示すように、コーナーキューブプリズム１３１において２つの反射面１３２が交わる辺である端辺１３５を嵌め込み可能な溝部（図５の溝部１１６、１２６を参照）が設けられている。
【００３６】
ところで、フレーム１１４、１２４にセットされるコーナーキューブプリズム１３１からなるプリズムアッセンブリ１３０の位置ずれは、図３ないし図５に示す掛止部２００によって抑えられる。この掛止部２００は、フレーム１１４、１２４の略正三角形における３つの頂点のそれぞれに、コーナーキューブプリズム１３１の近接部１３４に係合可能な係合片２１０を取り付けた構成とされている。
【００３７】
ここで、フレーム１１４、１２４は、コーナーキューブプリズム１３１における光透過面１３３の辺をなす端部１３６を掛止する（図７参照）ことで、掛止部２００の一部分としての機能を発揮する。また、係合片２１０は、フレーム１１４、１２４にセットされたコーナーキューブプリズム１３１の近接部１３４において、光透過面１３３に対向して接触される帯状の接触面２１１を備えている。これらは、いずれもプリズムアッセンブリ１３０の外部側からこのプリズムアッセンブリ１３０の内部側を向いて係合された係合状態とすることを実現させる構成であり、上記プリズムアッセンブリ１３０の位置ずれを抑えることに寄与する。
【００３８】
なお、本実施形態においては、図３および図４に示すように、係合片２１０は、その接触面２１１の端が、広幅面取りの面取り（図６参照）をされた面取り部２１２とされている。この面取り部２１２は、接触面２１１がコーナーキューブプリズム１３１の近接部１３４において光透過面１３３に接触するときに、このコーナーキューブプリズム１３１に隣接したコーナーキューブプリズム１３１における近接部１３４に、その光透過面１３３に沿う方向から係合する。
【００３９】
また、本実施形態においては、図３ないし図５に示すように、すべての係合片２１０は、フレーム１１４、１２４に対してねじ２０１を介して取り付けられる。したがって、係合片２１０は、ねじ２０１のつけ外しにより、上記係合状態と、この係合状態において係合される近接部１３４が備えられたコーナーキューブプリズム１３１に対して接触しないように退避された退避状態と、の切り替えが可能とされている。この退避状態においては、図５に仮想線で示すように、係合片２１０およびねじ２０１は、フレーム１１４、１２４に対して分離された状態となる。
【００４０】
上述した再帰反射装置１００によれば、プリズムアッセンブリ１３０は第１部材１１０と第２部材１２０との組に挟持され、この挟持状態は保持機構１５０により保持される。すなわち、プリズムアッセンブリ１３０をなす個々のコーナーキューブプリズム１３１を接着等により互いに固定された状態としなくても、プリズムアッセンブリ１３０の固定が可能である。したがって、保持機構１５０の保持をなくすことで、プリズムアッセンブリ１３０を構成するコーナーキューブプリズム１３１の１つ１つを独立して交換することが可能である。
【００４１】
また、上述した再帰反射装置１００は、第１部材１１０と第２部材１２０とが、軸部１４０に対して相対的に回転することを抑止する回転抑止機構１６０を有する。より具体的には、再帰反射装置１００は、第１部材１１０と第２部材１２０とが、軸部１４０を中心として、この軸部１４０の軸線周りに相対的に回転することを抑止する回転抑止機構１６０を有する。このため、再帰反射装置１００は、プリズムアッセンブリ１３０に軸部１４０の軸線周りの方向のトルク（ねじりモーメント）がはたらくことを抑え、もって接着によらずプリズムアッセンブリ１３０が分解してしまうのを抑制してこのプリズムアッセンブリ１３０を固定することができる。
【００４２】
また、上述した再帰反射装置１００によれば、回転抑止機構１６０は、その回り止めの構成により、第１部材１１０と第２部材１２０が、軸部１４０の軸線周りに相対的に回転することを抑止することができる。すなわち、回転抑止機構１６０は、比較的単純な回り止めの構成により、その機能を果たすことができる。
【００４３】
また、上述した再帰反射装置１００によれば、コーナーキューブプリズム１３１の取り換え作業に際して保持機構１５０による保持が緩んでいるときに、コーナーキューブプリズム１３１が意図せずこぼれ落ちることを掛止部２００の係合片２１０により抑え、もってこの取り換え作業の作業性を向上させることができる。
【００４４】
また、上述した再帰反射装置１００によれば、係合片２１０が係合されるコーナーキューブプリズム１３１が取り換えの対象になっているときに、掛止部２００の係合片２１０を退避状態に切り替えることで、この係合片２１０が上記コーナーキューブプリズム１３１の取り換え作業の邪魔になることをさけることができる。
【００４５】
また、上述した再帰反射装置１００によれば、プリズムアッセンブリ１３０におけるどのコーナーキューブプリズム１３１を取り換える場合であっても、取り換え対象のコーナーキューブプリズム１３１に対応される位置の係合片２１０を退避状態に切り替えることで、この係合片２１０がコーナーキューブプリズム１３１の取り換え作業の邪魔になることをさけることができる。
【００４６】
また、上述した再帰反射装置１００によれば、掛止部２００がプリズムアッセンブリ１３０をなすコーナーキューブプリズム１３１の並びに合わせて配されているため、プリズムアッセンブリ１３０の位置ずれ抑止機能がより確かなものとなる。
【００４７】
また、上述した再帰反射装置１００によれば、座部１１５、１２５に対し、コーナーキューブプリズム１３１の反射面１３２をもたせ掛けることが可能であるため、コーナーキューブプリズム１３１の配置を固定しやすくなる。
【００４８】
また、上述した再帰反射装置１００によれば、溝部１１６、１２６にコーナーキューブプリズム１３１の端辺１３５が嵌め込まれることで、コーナーキューブプリズム１３１の位置がより安定した状態で固定される。
【００４９】
また、上述した再帰反射装置１００によれば、掛止部２００の係合片２１０がねじ２０１を介して取り付けられる、フレーム１１４、１２４の略正三角形における頂点は、少なくとも一方向から見たときに、この頂点が属するフレーム１１４、１２４に対向されるフレーム１２４、１１４に覆い隠されることなく露見される。これにより、ねじ２０１のつけ外しにより係合片２１０の係合状態と退避状態との切り替えを行う作業において、ねじ２０１のつけ外しを行うためのドライバー（図示せず）とフレーム１１４もしくはフレーム１２４とが干渉することを減らし、もって上記切り替えを行う作業の作業性を向上させることができる。
【００５０】
（第２の実施形態）
続いて、図８ないし図２１を用いて、第２の実施形態にかかる再帰反射装置１について説明する。この再帰反射装置１は、図８に示すように、トータルステーション４０のターゲットとして用いられる。目標座標に設置された再帰反射装置１は、トータルステーション４０から発振された光線（図の破線参照）を再帰反射する。すなわち、トータルステーション４０から光線を発振した時刻・方向と、再帰反射装置１から再帰反射された光線をトータルステーション４０が受光した時刻・方向を測定することで、再帰反射装置１が設置された目標地点までの距離または方向を測定することができ、測地・測量を行うことができる。なお、以下においては、再帰反射装置１における各構成の上下は、再帰反射装置１が図８に示す状態にあるときの上下により記載する。
【００５１】
図９および図１０に示すように、再帰反射装置１は、第１部材２と、第２部材３と、６つのコーナーキューブプリズム６から構成されるプリズムアッセンブリ４と、軸部５と、留め具７から構成される。図１１および図１２に示すように、第１部材２および第２部材３は、同一の形状であり、プリズムアッセンブリ４を挟み込む保持状態を実現させる。以下、第２部材３の詳細を説明することで、第１部材２の説明を兼ねる。
【００５２】
図１１および図１２に示すように、第２部材３（第１部材２）は、挟み込むための座板１０と座部２０から構成される。座板１０は、プリズムアッセンブリ４（図９および図１０を参照）と相対する一方面１１と、上面と同一形状であり、一方面の反対側に設けられる他方面１２と、一方面１１と他方面１２を繋ぐ側壁１３を有する。すなわち、座板１０は略三角柱状に形成される。一方面１１には、略三角形状の各辺にそって３か所に掛止部３ｂ（２ｂ）が設けられている。掛止部３ｂ（２ｂ）は一方面１１を比較して他方面１２側に凹んだ溝状に形成されている。
【００５３】
図１１および図１２に示すように、座部２０は、座板１０の中央付近から上方に向けて突出するように形成される。座部２０は平面視で座板１０の平面視における形状の相似形状である略三角形状に形成される。座部２０の中央には座板１０と座部２０の双方を貫通するように穿たれた第２孔部３ａ（第１孔部２ａ）が設けられている。第２孔部３ａ（第１孔部２ａ）の内形は円形の両端を平取りしたような形状となっている。さらに第２孔部３ａ（第１孔部２ａ）から放射状の三方向へ溝部２１が設けられている。座部２０の上端部には上方から下方に向けて傾斜する３つの傾斜面２２が設けられている。
【００５４】
図９および図１０に示すように、軸部５は第１部材２における第１孔部２ａ（図１１および図１２を参照）および第２部材３における第２孔部３ａ（図１１および図１２を参照）の双方に挿通されて使用される軸状の部材である。図１３および図１４に示すように、軸部５は第１係止部５ａと、第２係止部５ｂと、軸尾部５ｃと、軸頭部５ｄと、中央部５ｅを有する。第１係止部５ａおよび第２係止部５ｂは、円柱の側部を平取りした面を有するような形状となっている。すなわち、第１係止部５ａおよび第２係止部５ｂの断面形状は、上述の第１部材２の第１孔部２ａ（図１１および図１２を参照）および第２部材３の第２孔部３ａ（図１１および図１２を参照）の内形とほぼ同一に設計されている。中央部５ｅは、第１係止部５ａおよび第２係止部５ｂの径よりも径の小さい円柱状に形成されている。軸頭部５ｄは第１係止部５ａおよび第２係止部５ｂよりも径が大きい円板状に形成されている。軸尾部５ｃは第１係止部５ａおよび第２係止部５ｂの径よりも径の小さい円柱状に形成されており、その外形は留め具７（図１０参照）の内形とほぼ同一である。
【００５５】
図９および図１０に示すように、第１部材２および第２部材３に挟持されるプリズムアッセンブリ４は、６つのコーナーキューブプリズム６から構成される。図１５に示すように、コーナーキューブプリズム６は、略直角三角錐形状に形成される。具体的には略直角三角形状の３つの端面６ａと、略正三角形状の再帰反射面６ｃを有する。端面６ａ同士の境目に位置する辺には第１端辺６ｂが設定されている。端面６ａと再帰反射面６ｃとの境目に位置する辺は第２端辺６ｄが設定されている。第２端辺６ｄは面取りされた形状となっている。また、略直角三角錐形状のコーナーキューブプリズム６の各頂点は、面取りされた端部６ｅが設けられている。なお、第１端辺６ｂは本発明における「端辺」に相当する。また、３つの端面６ａは、それぞれが互いに直交した平面をなす３つの反射面である。また、再帰反射面６ｃは、３つの端面６ａに入射する光およびこの光が３つの端面６ａにて反射された再帰反射光を透過する面であり、本発明における「光透過面」に相当する。
【００５６】
続いて、各コーナーキューブプリズム６の配置と、他の部材との位置関係について、図１６ないし図２１を用いて説明する。図１６に示すように、６つのコーナーキューブプリズム６は再帰反射面６ｃを外方に向けつつ、端面６ａ同士を接触させた状態で互い違いに配置される。すなわち、図１７に示すように、３つのコーナーキューブプリズム６は、一つの端部６ｅが上方に向けられて設置される。この３つのコーナーキューブプリズム６の組を仮に第１コーナーキューブプリズム組８とする。図１９に示すように、残り３つのコーナーキューブプリズム６は、１つの端部６ｅを下方に向けて設置される。この残りの３つのコーナーキューブプリズム６の組を第２コーナーキューブプリズム組９とする。
【００５７】
図１８に示すように、第１コーナーキューブプリズム組８を構成する３つのコーナーキューブプリズム６の位置は、第２部材３の座板１０と座部２０によって固定される。具体的には、コーナーキューブプリズム６における第２端辺６ｄを掛止部３ｂに掛止される。さらに、コーナーキューブプリズム６における端面６ａは座部２０の傾斜面２２にもたせ掛けられる。すなわち第１コーナーキューブプリズム組８を構成するコーナーキューブプリズム６は、第２部材３における掛止部３ｂの１つと、傾斜面２２の１つによって固定される。
【００５８】
図１９に示すように、第２コーナーキューブプリズム組９を構成する３つのコーナーキューブプリズム６の位置は、第２部材３における座部２０によって固定されている。具体的には、図２０に示すように、コーナーキューブプリズム６における第１端辺６ｂが、座部２０の溝部２１に嵌め込まれてもたせ掛けられる。さらに第２コーナーキューブプリズム組９を構成するコーナーキューブプリズム６の端面６ａは、第１コーナーキューブプリズム組８を構成するコーナーキューブプリズム６の端面６ａ（図１７参照）に接触する。これにより、第２部材３に対するコーナーキューブプリズム６の相対位置が固定される。
【００５９】
上記の、第２部材３とコーナーキューブプリズム６との位置関係（図１８および図２０を参照）は、第１部材２とコーナーキューブプリズム６との位置関係にも同様に当てはまる。例えば、第１コーナーキューブプリズム組８のコーナーキューブプリズム６の第１端辺６ｂは、第１部材２の座部２０における溝部２１（図１１および図１２を参照）に嵌め込まれてもたせ掛けられる。第２コーナーキューブプリズム組９のコーナーキューブプリズム６における第２端辺６ｄは、掛止部２ｂ（図１１および図１２を参照）に掛止される。さらに、コーナーキューブプリズム６における端面６ａは、第１部材２における座部２０の傾斜面２２（図１１および図１２を参照）にもたせ掛けられる。
【００６０】
続いて、図２１を参照して、コーナーキューブプリズム６と軸部５の位置関係を説明する。図２１に示すように、軸部５、第２部材３、コーナーキューブプリズム６は、軸部５の中央部５ｅが、コーナーキューブプリズム６の端部６ｅと相対する位置に来るように設計される。ここで軸部５の中央部５ｅは、第１係止部５ａおよび第２係止部５ｂよりも径が小さく設定されている。また、コーナーキューブプリズム６の端部６ｅは面取りされている。これにより、コーナーキューブプリズム６の端部６ｅと軸部５の中央部５ｅは互いの位置が重なることがないようにされる。したがって、軸部５とコーナーキューブプリズム６を無理なく目的の位置に設置することができる。
【００６１】
続いて本実施形態の組み立ての過程について、図２２ないし図２４を用いて説明する。図２２に示すように、第１部材２の第１孔部２ａ（図１１および図１２を参照）および第２部材３の第２孔部３ａ（図１１および図１２を参照）に対して軸部５を挿通させる。このとき、第１部材２と、第２部材３との距離Ｌは、プリズムアッセンブリ４を実際に固定するときと比べ、第２部材３の第２孔部３ａから抜けない程度に長めに設定する。
【００６２】
続いてプリズムアッセンブリ４（図１６参照）を設置する。図２３に示すように、第１コーナーキューブプリズム組８を第２部材３上に設置する。具体的にはコーナーキューブプリズム６の再帰反射面６ｃを外方に向け、第２端辺６ｄ（図１５参照）を掛止部３ｂに掛止させ、第１端辺６ｂ（図１５参照）を傾斜面２２（図２２参照）にもたせ掛ける。これにより、第１コーナーキューブプリズム組８を構成するコーナーキューブプリズム６は、第２部材３上の目的の位置に設置される。
【００６３】
続いて、図２４に示すように、第２コーナーキューブプリズム組９を設置する。具体的には第２コーナーキューブプリズム組９を構成するコーナーキューブプリズム６の再帰反射面６ｃを外方に向け、第１コーナーキューブプリズム組８を構成するコーナーキューブプリズム６の端面６ａ（図１５参照）と第２コーナーキューブプリズム組９を構成するコーナーキューブプリズム６の端面６ａ（図１５参照）を接触させる。また第２コーナーキューブプリズム組９を構成するコーナーキューブプリズム６の第１端辺６ｂ（図１５参照）を、座部２０の溝部２１（図２３参照）に嵌め込む。これにより、第１コーナーキューブプリズム組８と第２コーナーキューブプリズム組９から構成されるプリズムアッセンブリ４は、第２部材３上の目的の位置に設置される。
【００６４】
図２４に示すように、軸部５に沿って第１部材２が第２部材３に近づく方向（矢印Ａの方向）に第１部材２を摺動させることによって、プリズムアッセンブリ４を第１部材２および第２部材３の組によって挟み込む。そのうえで、矢印Ｂに示すように留め具７を軸部５の軸尾部５ｃ（図１３参照）に嵌め込み、固定する。これにより、軸部５の軸頭部５ｄと留め具７によって挟み込まれた第１部材２および第２部材３の位置は保持され、プリズムアッセンブリ４は第１部材２と第２部材３による挟持状態を保持される。
【００６５】
以上の実施形態によれば、図９に示すように、プリズムアッセンブリ４は、第１部材２と第２部材３との組に挟持されている。また第１部材２と第２部材３は、軸部５の軸頭部５ｄ（図１３参照）と留め具７（図１０参照）によって保持されている。すなわちコーナーキューブ６同士を接着等して固定しなくても、複数のコーナーキューブプリズム６を有するプリズムアッセンブリ４を固定可能である。したがってプリズムアッセンブリ４を構成するコーナーキューブプリズム６の１つ１つを独立して交換することが可能である。
【００６６】
また、図１３および図１４に示す、軸部５の第１係止部５ａおよび第２係止部５ｂは、それぞれの表面形状が、図１１および図１２に示す第１部材２（第２部材３）の第１孔部２ａ（第２孔部３ａ）の各内形とほぼ同一に設計されて、これらが互いに回転不能に係止できるようにする回り止めの構成をなす。このため、図９および図１０に示すように、第１部材２および第２部材３は、軸部５に対して当該軸部５を中心として、当該軸部５周りに相対的に回転することを抑止する回転抑止機構として成立している。したがってプリズムアッセンブリ４に軸部５の軸線周りの方向のトルク（ねじりモーメント）が働かない。すなわち、第１部材２及び第２部材３で保持している場合、接着をせずともプリズムアッセンブリ４が分解してしまうのを抑制することができる。
【００６７】
また本実施形態においては、図１１および図１２に示すように、掛止部３ｂが、プリズムアッセンブリ４をなすコーナーキューブプリズム６の並びに沿うように位置されている。また、掛止部３ｂは、コーナーキューブプリズム６の端部６ｅ（図１６参照）を掛止可能なフレームを有する形状に形成されている。これによれば、掛止部３ｂがプリズムアッセンブリ４（図１６参照）をなすコーナーキューブプリズム６の並びに合わせて配されているため、プリズムアッセンブリ４の位置ずれ抑止機能がより確かなものとなる。
【００６８】
さらに本実施形態においては、第１部材２および第２部材３にコーナーキューブプリズムの第１端辺６ｂまたは端面６ａをもたせ掛けることが可能な座部２０が設けられている。これにより、コーナーキューブプリズム６の配置を固定しやすくなる。
【００６９】
また本実施形態においては、図１１および図１２に示すように、第１部材２および第２部材３の座部２０にコーナーキューブプリズム６の第１端辺６ｂを嵌め込み可能な溝部２１が設けている。これによれば、溝部２１にコーナーキューブプリズム６の第１端辺６ｂが嵌め込まれることで、コーナーキューブプリズム６の位置がより安定的に固定される。
【００７０】
（その他の実施形態）
本開示は、図１ないし図２４を用いて上述した各実施形態に限定されず、本開示の要旨を変更しない範囲で種々の変更、追加、削除が可能である。例えば、以下のような各種の形態を実施することができる。
【００７１】
（１）第１の実施形態にかかる再帰反射装置１００において、保持機構１５０は、第１部材１１０あるいは第２部材１２０の本体１１１、１２１を、フランジボルト１５１およびねじ１５２を用いて固定する機構である。また、第２の実施形態にかかる再帰反射装置１においては、第１部材２と第２部材３を保持する保持機構は、軸部５の軸頭部５ｄと留め具７による挟み込みの機構である。しかしながら、上述した第１の実施形態および第２の実施形態を含む本開示（以下、単に「本開示」とも記載する。）における、再帰反射装置の保持機構は、第１部材２と第２部材がプリズムアッセンブリを挟持した状態を保持する保持機構であれば、どのようなものでも構わない。例えば、本開示の保持機構としては、第１部材（第２部材）の第１孔部（第２孔部）および軸部をその径方向に貫通する棒状の抜け止めで固定する機構が考えられる。
【００７２】
（２）第１の実施形態にかかる再帰反射装置１００においては、回転抑止機構１６０は、とめねじ１６２を軸部１４０に設けられた平取り１６３に係止させ、もって第１孔部１１３あるいは第２孔部１２３のそれぞれと軸部１４０の表面とが回転不能に係止できるようにする回り止めの構成である。このとめねじ１６２は、ねじ穴１６１の内部に全体を入り込ませた状態でこのねじ穴１６１に螺合することと、その先端を平取り１６３に面接触させてこの平取り１６３に係止させることとができる平先のホーローセットスクリューである。また、第２の実施形態にかかる再帰反射装置１においては、その軸部５の第１係止部５ａおよび第２係止部５ｂの断面形状は、同じく第１部材２（第２部材３）の第１孔部２ａ（第２孔部３ａ）の内形とほぼ同一に設計される。これにより、再帰反射装置１においては、軸部５が第１部材２および第２部材３に対し相対的に回転することを抑止し、軸部５に対して当該軸部５を回転軸として、当該軸部５周りに相対的に回転することを抑止する回転抑止機構が成立される。
【００７３】
しかしながら、本開示における回転抑止機構は、軸部に対して当該軸部を回転軸として、第１部材および第２部材が軸部周りに相対的に回転することを抑止する、すなわち回転不能に係止ができればいかなる技術思想に基づくものでも構わない。例えば、本開示の回転抑止機構においては、第１の実施形態に第２の実施形態の技術思想を適用すること、あるいはその逆が実施可能である。
【００７４】
回転抑止機構において第２の実施形態の技術思想が適用される場合、例えば、軸部の断面形状を有限の自然数ａに対するａ回対称図形とし、第１部材の第１孔部の内形および第２部材の第２孔部の内形を同一形状とすることで、第１部材および第２部材を軸部に対して当該軸部を回転軸として、当該軸部周りに相対的に回転することを抑止することができる。なお有限の自然数ａに対するａ回対称図形としては、例えば多角形、楕円形の他、線対称性を有する図形等を挙げることができる。
【００７５】
ここで、軸部の断面形状を有限の自然数ａに対するａ回対称図形とする場合、第１部材の第１孔部の内形および第２部材の第２孔部の内形を必ずしも同一の形状とする必要はない。すなわち第１部材および第２部材を軸部に対して当該軸部を回転軸として、当該軸部周りに相対的に回転することを抑止することができればよい。例えば、第１孔部および第２孔部の形状を六角形形状にすると同時に、軸部の断面形状を四角形形状とし、軸部が第１孔部および第２孔部に嵌め込まれて回転しないものとすることもできる。
【００７６】
また、軸部の断面形状に関わらず、例えば第１部材の第１孔部内および第２部材の第２孔部内に、リング状の弾性部材を設け、第１孔部および第２孔部に対し、軸部を圧入することによって、第１部材と第２部材が軸部を回転軸として、軸部周りに相対的に回転することを抑止する構成を、再帰反射装置における回転抑止機構として採用することもできる。
【００７７】
回転抑止機構において第１の実施形態の技術思想が適用される場合、例えば、とめねじの先端を、軸部において曲面をなす表面に食い込むように係止することが可能なくぼみ先として、軸部から平取りを省略することができる。あるいは、例えば、とめねじを、ながねじなどの全ねじもしくはスタッドボルトなどの、ねじ穴の内部に全体を入り込ませた状態でこのねじ穴に螺合することができる任意の種類のねじに変更することができる。あるいは、例えば、とめねじを、ねじ穴よりも大径の頭部を有するねじとして、この頭部を本体のこば面から突出させた構成とすることができる。
【００７８】
（３）本開示の再帰反射装置における各実施形態では、上述した第１の実施形態の、係合片に関する技術思想を適用することができる。この技術思想が本開示に適用される場合、例えば、係合片をフレームに取り付けるねじを、スナップボタンまたはスナップ錠もしくはトグルラッチなどの、任意の取り付け構造に変更することができる。あるいは、係合片をフレームに対してスライドレールを介して取り付け、このスライドレール上で係合片をスライドさせることで、係合状態と退避状態との切り替えを行うことができる。この場合において、スライドレールは直線あるいは任意の曲線をなすものとすることができ、その設置の向きは適宜に設定することができる。また、係合片はその退避状態においてスライドレールおよびフレームから分離されるものであっても分離されないものであってもよい。
【００７９】
あるいは、係合片およびフレームの一方に、同じく他方をつかむクリップとして機能する部分を備えさせることで、係合片をフレームに対してつけ外し可能に取り付け、もって係合状態と退避状態との切り替えを可能とすることができる。あるいは、係合片およびフレームの一方に磁石として機能する部分を、同じく他方に磁石または強磁性体として機能する部分を備えさせることで、係合片をフレームに対して磁力によりつけ外し可能に取り付け、もってその係合状態と退避状態との切り替えを可能とすることができる。
【００８０】
あるいは、例えば、係合片を退避状態にするにあたりフレームから外される部材と当該フレームとをリーシュコードでつなぎ、もって係合片を退避状態にするにあたりフレームから分離される部材をなくすことができる。ここで、上記「フレームから外される部材」には、具体的には例えば係合片それ自体またはこの係合片をフレームに取り付けるための固着具が含まれる。あるいは、例えば、係合片の一部をフレームに一体化されたものとし、もってこの係合片における係合状態と退避状態との切り替えができないようにすることもできる。この場合において、係合片をフレームに一体化させる構成は、互いに別体に形成された係合片およびフレームを互いに固着させる構成であっても、係合片およびフレームを一体に成形する構成であってもよい。
【００８１】
（４）本開示の再帰反射装置における各実施形態では、その軸部を、長尺かつその長手方向の一端側から他端側に向けて貫通した貫通孔を有する筒形状とする技術思想を適用することができる。この技術思想によれば、軸部の貫通孔に棒状部材を挿入することで再帰反射装置を当該棒状部材に沿って摺動させ、もって軸部の長手方向で見た再帰反射装置の位置を変更することができる。
【００８２】
例えば、上述した第２の実施形態に上記技術思想を適用した場合、図２５に示す変形例にかかる再帰反射装置５０のように、その軸部５１を長尺に形成し、かつ、その長手方向の一端側から他端側に向けて貫通した貫通孔５１ｆを有する筒形状とする実施形態が得られる。これによれば、軸部の貫通孔５１ｆに対し、棒状部材６０を挿入し、棒状部材６０に沿って再帰反射装置５０を摺動させることができる。すなわち棒状部材６０を介して、軸部５１の長手方向で見た再帰反射装置５０の位置を変更することができる。なお、図２５に示す再帰反射装置５０において、第１部材２、第２部材３、コーナーキューブプリズム６は、それぞれ、図９に示す、第２の実施形態にかかる再帰反射装置１における第１部材２、第２部材３、コーナーキューブプリズム６と同じパーツであるため、これらと同じ符号を付してその詳細な説明を省略するものである。
【００８３】
（５）本開示の再帰反射装置における各実施形態においては、プリズムアッセンブリを構成するコーナーキューブプリズムは、その反射面が互いに直接接触されうる。しかしながら、本開示において、プリズムアッセンブリは、コーナーキューブプリズムの再帰反射面を外方に向け、再帰反射が可能なのであれば、コーナーキューブプリズムの間に挟みこむ部材または材料が設けられていてもよい。例えばコーナーキューブプリズムの反射面に対し、被膜を形成し、再帰反射しやすくする等をしてもよい。
【００８４】
（６）本開示において、プリズムアッセンブリは、このプリズムアッセンブリを構成するコーナーキューブプリズムのうちいくつかをコーナーキューブプリズム以外の再帰反射しない部材に置き換えたものであってもよい。この「再帰反射しない部材」には、例えばコーナーキューブプリズムに対応する形状の不透明なプラスチック製部材が含まれていてもよい。
【００８５】
（７）本開示において、掛止部のフレームの形状は、プリズムアッセンブリの位置ずれを防ぐことができればどのような形状でも構わない。
【００８６】
（８）上述した第１の実施形態および第２の実施形態においては、再帰反射装置は、トータルステーションが発振する光を再帰反射する用に供されているが、本開示にかかる再帰反射装置の用途はこれに限定されない。例えば、再帰反射装置は、セオドライトがセットされる位置から発振された光を再帰反射してセオドライトに測定させ、もって測量に資するデータを得る用に供することができる。
【符号の説明】
【００８７】
１      再帰反射装置
２      第１部材
２ａ    第１孔部
２ｂ    掛止部
３      第２部材
３ａ    第２孔部
３ｂ    掛止部
４      プリズムアッセンブリ
５      軸部
５ａ    第１係止部
５ｂ    第２係止部
５ｃ    軸尾部
５ｄ    軸頭部
５ｅ    中央部
６      コーナーキューブプリズム
６ａ    端面
６ｂ    第１端辺（端辺）
６ｃ    再帰反射面
６ｄ    第２端辺
６ｅ    端部
７      留め具
８      第１コーナーキューブプリズム組
９      第２コーナーキューブプリズム組
１０    座板
１１    一方面
１２    他方面
１３    側壁
２０    座部
２１    溝部
２２    傾斜面
４０    トータルステーション
５０    再帰反射装置
５１    軸部
５１ｆ  貫通孔
６０    棒状部材
１００  再帰反射装置
１０１  きょう体
１０２  穴
１０３  穴
１０４  きょう体
１０５  穴
１０６  穴
１１０  第１部材
１１１  本体
１１２  ボス
１１３  第１孔部
１１４  フレーム
１１５  座部
１１６  溝部
１２０  第２部材
１２１  本体
１２２  ボス
１２３  第２孔部
１２４  フレーム
１２５  座部
１２６  溝部
１３０  プリズムアッセンブリ
１３１  コーナーキューブプリズム
１３２  反射面
１３３  光透過面
１３４  近接部
１３５  端辺
１３６  端部
１４０  軸部
１４１  へこみ
１４２  かかり
１４３  ねじ穴
１５０  保持機構
１５１  フランジボルト
１５２  ねじ
１６０  回転抑止機構
１６１  ねじ穴
１６２  とめねじ
１６３  平取り
２００  掛止部
２０１  ねじ
２１０  係合片
２１１  接触面
２１２  面取り部
９００  トータルステーション
Ａ      矢印
Ｂ      矢印
Ｌ      距離
【図１】
2020204576.tif 000003
【図２】
2020204576.tif 000004
【図３】
2020204576.tif 000005
【図４】
2020204576.tif 000006
【図５】
2020204576.tif 000007
【図６】
2020204576.tif 000008
【図７】
2020204576.tif 000009
【図８】
2020204576.tif 000010
【図９】
2020204576.tif 000011
【図１０】
2020204576.tif 000012
【図１１】
2020204576.tif 000013
【図１２】
2020204576.tif 000014
【図１３】
2020204576.tif 000015
【図１４】
2020204576.tif 000016
【図１５】
2020204576.tif 000017
【図１６】
2020204576.tif 000018
【図１７】
2020204576.tif 000019
【図１８】
2020204576.tif 000020
【図１９】
2020204576.tif 000021
【図２０】
2020204576.tif 000022
【図２１】
2020204576.tif 000023
【図２２】
2020204576.tif 000024
【図２３】
2020204576.tif 000025
【図２４】
2020204576.tif 000026
【図２５】
2020204576.tif 000027
【手続補正書】
【提出日】令和2年4月3日(2020.4.3)
【手続補正１】
【補正対象書類名】特許請求の範囲
【補正対象項目名】全文
【補正方法】変更
【補正の内容】
【特許請求の範囲】
【請求項１】
それぞれが互いに直交した平面をなす３つの反射面、ならびに、これらの反射面に入射する光およびこの光が３つの反射面にて反射された再帰反射光を透過する光透過面を有するコーナーキューブプリズムと、
複数の前記コーナーキューブプリズムを有するプリズムアッセンブリと、
前記プリズムアッセンブリを挟み込む挟持状態を実現させる第１部材および第２部材の組と、
前記第１部材および前記第２部材にそれぞれ設けられ、前記プリズムアッセンブリの位置ずれをおさえる掛止部と、
前記第１部材に穿たれた第１孔部と、
前記第２部材に穿たれた第２孔部と、
前記第１孔部および前記第２孔部に挿通される軸部と、
前記挟持状態を保持する保持機構と、
前記軸部に対する、前記第１部材および前記第２部材の、前記軸部の軸線周りの相対的
な回転を抑止する回転抑止機構とを有し、
前記プリズムアッセンブリをなす前記コーナーキューブプリズムの少なくとも１つには、その３つの反射面のうち２つと光透過面とが互いに近接してなる近接部が備えられ、
前記掛止部には、前記近接部に対して、前記プリズムアッセンブリの外部側から当該プリズムアッセンブリの内部側を向いて係合された係合状態とすることが可能な係合片が１つ以上設けられている、再帰反射装置。
【請求項２】
請求項１に記載された再帰反射装置であって、
前記係合片の少なくとも１つが、前記係合状態と、当該係合状態において係合される前記近接部が備えられた前記コーナーキューブプリズムに対して接触しないように退避された退避状態と、の切り替えが可能に構成されている、再帰反射装置。
【請求項３】
請求項２に記載された再帰反射装置であって、
すべての前記係合片が、前記係合状態と、前記退避状態と、の切り替えが可能に構成されている、再帰反射装置。
【請求項４】
請求項１ないし請求項３のうちのいずれか１項に記載された再帰反射装置であって、
前記回転抑止機構は、前記第１孔部および前記第２孔部のそれぞれと前記軸部の表面とが回転不能に係止できるようにする回り止めの構成を有することによって成立する再帰反
射装置。
【請求項５】
請求項１ないし請求項４のうちのいずれか１項に記載された再帰反射装置であって、
前記掛止部が、前記プリズムアッセンブリをなす前記コーナーキューブプリズムの並びに沿うように位置されて、当該コーナーキューブプリズムの端部を掛止可能なフレームを有する、再帰反射装置。
【請求項６】
請求項５に記載された再帰反射装置であって、
前記第１部材および前記第２部材のうち少なくとも一方には、前記コーナーキューブプリズムの反射面と接触し、もって当該コーナーキューブプリズムをもたせ掛けられた状態にすることが可能な座部が設けられている、再帰反射装置。
【請求項７】
請求項６に記載された再帰反射装置であって、
前記座部に、前記コーナーキューブプリズムの端辺を嵌め込み可能な溝部が設けられた、再帰反射装置。
【請求項８】
請求項１ないし請求項７のうちのいずれか１項に記載された再帰反射装置であって、
前記軸部が長尺に形成され、かつ、その長手方向の一端側から他端側に向けて貫通した貫通孔を有する筒形状をなす再帰反射装置。